(57)【要約】  レイク受信機は、複数の受信アンテナ及び処理システムを含む。各受信アンテナは、複数の復調要素を有する。処理システムは、複数の受信アンテナから複数の復調要素を、マルチパスグループに割り当て、マルチパスグループをマルチパス信号に割り当て、対応する受信アンテナにおけるマルチパス信号のローカル時間遅延に対応するように、マルチパスグループ内の各復調要素の時間遅延値を独立に調節するように構成される。
2010536265.tif 000002
【特許請求の範囲】
【請求項１】
各々が複数の復調要素を有する複数の受信アンテナと、
複数の受信アンテナから複数の復調要素を、マルチパスグループに割り当て、前記マルチパスグループをマルチパス信号に割り当て、前記対応する受信アンテナにおける前記マルチパス信号のローカル時間遅延に対応するように、前記マルチパスグループ内の前記復調要素の各々の時間遅延値を独立に調節するように構成された処理システムと、
を具備するレイク受信機。
【請求項２】
前記処理システムは、前記時間遅延値間の差分が所定の閾値を超えるか否かを判断するために、前記マルチパスグループ内の前記復調要素のうちの少なくとも２つの時間遅延値を比較し、前記判断に応じて、前記差分が前記所定の閾値より小さくなるように、前記少なくとも２つの復調要素のうちの１つに関する前記時間遅延値を調節するようにさらに構成される、請求項１のレイク受信機。
【請求項３】
前記処理システムは、前記マルチパスグループ内の前記少なくとも２つの復調要素のうちの他の１つの時間遅延値に対して、前記少なくとも２つの復調要素のうちの前記１つに関する前記時間遅延値を設定することによって、前記少なくとも２つの復調要素のうちの前記１つに関する前記時間遅延値を調節するように構成される、請求項２のレイク受信機。
【請求項４】
前記処理システムは、前記マルチパスグループ内の前記少なくとも２つの復調要素のうちの他の１つの時間遅延値に向けて所定量だけ、前記少なくとも２つの復調要素のうちの前記１つに関する前記時間遅延値をインクリメントすることによって、前記少なくとも２つの復調要素のうちの前記１つに関する時間遅延値を調節するように構成される、請求項２のレイク受信機。
【請求項５】
前記処理システムは、前記少なくとも２つの復調要素間の相対的な信号強度に基づいて、調節されるべき前記少なくとも２つの復調要素のうちの前記１つを選択するように構成される、請求項２のレイク受信機。
【請求項６】
前記処理システムは、前記少なくとも２つの復調要素のうちの前記１つを再初期化することなしに、前記少なくとも２つの復調要素のうちの前記１つに関する前記時間遅延値を調節するように構成される、請求項２のレイク受信機。
【請求項７】
当該レイク受信機は、２つの受信アンテナを具備する、請求項１のレイク受信機。
【請求項８】
当該レイク受信機は、３つの受信アンテナを具備する、請求項１のレイク受信機。
【請求項９】
前記処理システムは、前記３つの復調要素のうちのいずれか２つの前記時間遅延値間の差分が所定の閾値を超えるか否かを判断するために、前記マルチパスグループ内の前記３つの復調要素の時間遅延値を比較し、前記判断に応じて、前記差分が前記所定の閾値より小さくなるように、前記復調要素のうちの１つに関する時間遅延値を調節するように構成される、請求項８のレイク受信機。
【請求項１０】
各々が複数の復調要素を有する複数の受信アンテナと、
前記受信アンテナの各々から１つの復調要素を、マルチパスグループに割り当て、前記マルチパスグループをマルチパス信号に割り当て、前記対応する受信アンテナにおける前記マルチパス信号のローカル時間遅延に対応するように、前記マルチパスグループ内の前記復調要素の各々の時間遅延値を独立に調節し、前記時間遅延値間の差分が所定の閾値を超えるか否かを判断するために、前記マルチパスグループ内の前記復調要素のうちの少なくとも２つの時間遅延値を比較し、前記判断に応じて、前記差分が前記所定の閾値より小さくなるように、前記少なくとも２つの復調要素のうちの１つに関する前記時間遅延値を調節するように構成された処理システムと、
を具備するレイク受信機。
【請求項１１】
前記処理システムは、前記マルチパスグループ内の前記少なくとも２つの復調要素のうちの他の１つの時間遅延値に対して、前記少なくとも２つの復調要素のうちの前記１つに関する前記時間遅延値を設定することによって、前記少なくとも２つの復調要素のうちの前記１つに関する前記時間遅延値を調節するように構成される、請求項１０のレイク受信機。
【請求項１２】
前記処理システムは、前記マルチパスグループ内の前記少なくとも２つの復調要素のうちの他の１つの時間遅延値に向けて所定量だけ、前記少なくとも２つの復調要素のうちの前記１つに関する前記時間遅延値をインクリメントすることによって、前記少なくとも２つの復調要素のうちの前記１つに関する時間遅延値を調節するように構成される、請求項１０のレイク受信機。
【請求項１３】
前記処理システムは、前記少なくとも２つの復調要素間の相対的な信号強度に基づいて、調節されるべき前記少なくとも２つの復調要素のうちの前記１つを選択するように構成される、請求項１０のレイク受信機。
【請求項１４】
前記処理システムは、前記少なくとも２つの復調要素のうちの前記１つを再初期化することなしに、前記少なくとも２つの復調要素のうちの前記１つに関する前記時間遅延値を調節するように構成される、請求項１０のレイク受信機。
【請求項１５】
当該レイク受信機は、２つの受信アンテナを具備する、請求項１０のレイク受信機。
【請求項１６】
当該レイク受信機は、３つの受信アンテナを具備する、請求項１０のレイク受信機。
【請求項１７】
前記処理システムは、前記３つの復調要素のうちのいずれか２つの前記時間遅延値間の差分が所定の閾値を超えるか否かを判断するために、前記マルチパスグループ内の前記３つの復調要素の時間遅延値を比較し、前記判断に応じて、前記差分が前記所定の閾値より小さくなるように、前記復調要素のうちの１つに関する時間遅延値を調節するように構成される、請求項１６のレイク受信機。
【請求項１８】
各々が複数の復調要素を有する複数の受信アンテナを備えたレイク受信機に関して時間トラッキングを管理する方法であって、
複数の受信アンテナから複数の復調要素を、マルチパスグループに割り当てるステップと、
前記マルチグループをマルチパス信号に割り当てるステップと、
前記対応する受信アンテナにおける前記マルチパス信号のローカル時間遅延に対応するように、前記マルチパスグループ内の前記復調要素の各々の時間遅延値を独立に調節するステップと、
を備えた方法。
【請求項１９】
前記時間遅延値間の差分が所定の閾値を超えるか否かを判断するために、前記マルチパスグループ内の前記復調要素のうちの少なくとも２つの時間遅延値を比較するステップと、前記判断に応じて、前記差分が前記所定の閾値より小さくなるように、前記少なくとも２つの復調要素のうちの１つに関する前記時間遅延値を調節するステップと、をさらに備える請求項１８の方法。
【請求項２０】
前記少なくとも２つの復調要素のうちの前記１つに関する前記時間遅延値を調節することは、前記マルチパスグループ内の前記少なくとも２つの復調要素のうちの他の１つの時間遅延値に対して、前記少なくとも２つの復調要素のうちの前記１つに関する前記時間遅延値を設定することを含む、請求項１９の方法。
【請求項２１】
前記少なくとも２つの復調要素のうちの前記１つに関する前記時間遅延値を調節することは、前記マルチパスグループ内の前記少なくとも２つの復調要素のうちの他の１つの時間遅延値に向けて所定量だけ、前記少なくとも２つの復調要素のうちの前記１つに関する前記時間遅延値をインクリメントすることを含む、請求項１９の方法。
【請求項２２】
前記少なくとも２つの復調要素のうちの前記１つに関する前記時間遅延値を調節することは、前記少なくとも２つの復調要素間の相対的な信号強度に基づいて、調節されるべき前記少なくとも２つの復調要素のうちの前記１つを選択することを含む、請求項１９の方法。
【請求項２３】
前記少なくとも２つの復調要素のうちの前記１つに関する前記時間遅延値は、前記少なくとも２つの復調要素のうちの前記１つを再初期化することなしに、調節される、請求項１９の方法。
【請求項２４】
前記レイク受信機は、２つの受信アンテナを具備する、請求項１９の方法。
【請求項２５】
前記レイク受信機は、３つの受信アンテナを具備する、請求項１９の方法。
【請求項２６】
前記比較ステップは、前記３つの復調要素のうちのいずれか２つの前記時間遅延値間の差分が所定の閾値を超えるか否かを判断するために、前記マルチパスグループ内の前記３つの復調要素の時間遅延値を比較することを含み、
前記調節ステップは、前記判断に応じて、前記差分が前記所定の閾値より小さくなるように、前記復調要素のうちの１つに関する時間遅延値を調節することを含む、請求項２５の方法。
【請求項２７】
各々が複数の復調要素を有する複数の受信アンテナと、
複数の受信アンテナから複数の復調要素を、マルチパスグループに割り当てる手段と、
前記マルチパスグループをマルチパス信号に割り当てる手段と、
前記対応する受信アンテナにおける前記マルチパス信号のローカル時間遅延に対応するように、前記マルチパスグループ内の前記復調要素の各々の時間遅延値を独立に調節する手段と、
を具備する受信機システム。
【請求項２８】
前記時間遅延値間の差分が所定の閾値を超えるか否かを判断するために、前記マルチパスグループ内の前記復調要素のうちの少なくとも２つの時間遅延値を比較する手段と、
前記判断に応じて、前記差分が前記所定の閾値より小さくなるように、前記少なくとも２つの復調要素のうちの１つに関する前記時間遅延値を調節する手段と、をさらに具備する請求項２７の受信機システム。
【請求項２９】
前記少なくとも２つの復調要素のうちの前記１つに関する前記時間遅延値を調節する手段は、前記マルチパスグループ内の前記少なくとも２つの復調要素のうちの他の１つの時間遅延値に対して、前記少なくとも２つの復調要素のうちの前記１つに関する前記時間遅延値を設定するように構成される、請求項２８の受信機システム。
【請求項３０】
前記少なくとも２つの復調要素のうちの前記１つに関する前記時間遅延値を調節する手段は、前記マルチパスグループ内の前記少なくとも２つの復調要素のうちの他の１つの時間遅延値に向けて所定量だけ、前記少なくとも２つの復調要素のうちの前記１つに関する前記時間遅延値をインクリメントするように構成される、請求項２８の受信機システム。
【請求項３１】
前記少なくとも２つの復調要素のうちの前記１つに関する前記時間遅延値を調節する手段は、前記少なくとも２つの復調要素間の相対的な信号強度に基づいて、調節されるべき前記少なくとも２つの復調要素のうちの前記１つを選択するように構成される、請求項２８の受信機システム。
【請求項３２】
前記少なくとも２つの復調要素のうちの前記１つに関する前記時間遅延値を調節する手段は、前記少なくとも２つの復調要素のうちの前記１つを再初期化することなしに、前記少なくとも２つの復調要素のうちの前記１つに関する前記時間遅延値を調節するように構成される、請求項２８の受信機システム。
【請求項３３】
当該受信機システムは、２つの受信アンテナを具備する、請求項２７の受信機システム。
【請求項３４】
当該受信機システムは、３つの受信アンテナを具備する、請求項２７の受信機システム。
【請求項３５】
前記３つの復調要素のうちのいずれか２つの前記時間遅延値間の差分が所定の閾値を超えるか否かを判断するために、前記マルチパスグループ内の前記３つの復調要素の時間遅延値を比較する手段と、
前記判断に応じて、前記差分が前記所定の閾値より小さくなるように、前記復調要素のうちの１つに関する時間遅延値を調節する手段と、をさらに具備する請求項３４の受信機システム。
【請求項３６】
各々が複数の復調要素を有する複数の受信アンテナを備えたレイク受信機に関して時間トラッキングを管理する方法を具現化する機械読み取り可能媒体であって、
前記方法は、複数の受信アンテナから複数の復調要素を、マルチパスグループに割り当てるステップと、
前記マルチグループをマルチパス信号に割り当てるステップと、
前記対応する受信アンテナにおける前記マルチパス信号のローカル時間遅延に対応するように、前記マルチパスグループ内の前記復調要素の各々の時間遅延値を独立に調節するステップと、
を備えた機械読み取り可能媒体。
【請求項３７】
前記方法は、前記時間遅延値間の差分が所定の閾値を超えるか否かを判断するために、前記マルチパスグループ内の前記復調要素のうちの少なくとも２つの時間遅延値を比較するステップと、前記判断に応じて、前記差分が前記所定の閾値より小さくなるように、前記少なくとも２つの復調要素のうちの１つに関する前記時間遅延値を調節するステップと、をさらに備える、請求項３６の機械読み取り可能媒体。
【請求項３８】
前記少なくとも２つの復調要素のうちの前記１つに関する前記時間遅延値を調節することは、前記マルチパスグループ内の前記少なくとも２つの復調要素のうちの他の１つの時間遅延値に対して、前記少なくとも２つの復調要素のうちの前記１つに関する前記時間遅延値を設定することを含む、請求項３７の機械読み取り可能媒体。
【請求項３９】
前記少なくとも２つの復調要素のうちの前記１つに関する前記時間遅延値を調節することは、前記マルチパスグループ内の前記少なくとも２つの復調要素のうちの他の１つの時間遅延値に向けて所定量だけ、前記少なくとも２つの復調要素のうちの前記１つに関する前記時間遅延値をインクリメントすることを含む、請求項３７の機械読み取り可能媒体。
【請求項４０】
前記少なくとも２つの復調要素のうちの前記１つに関する前記時間遅延値を調節することは、前記少なくとも２つの復調要素間の相対的な信号強度に基づいて、調節されるべき前記少なくとも２つの復調要素のうちの前記１つを選択することを含む、請求項３７の機械読み取り可能媒体。
【請求項４１】
前記少なくとも２つの復調要素のうちの前記１つに関する前記時間遅延値は、前記少なくとも２つの復調要素のうちの前記１つを再初期化することなしに、調節される、請求項３７の機械読み取り可能媒体。
【請求項４２】
前記レイク受信機は、２つの受信アンテナを具備する、請求項３７の機械読み取り可能媒体。
【請求項４３】
前記レイク受信機は、３つの受信アンテナを具備する、請求項３７の機械読み取り可能媒体。
【請求項４４】
前記比較ステップは、前記３つの復調要素のうちのいずれか２つの前記時間遅延値間の差分が所定の閾値を超えるか否かを判断するために、前記マルチパスグループ内の前記３つの復調要素の時間遅延値を比較することを含み、
調節ステップは、前記判断に応じて、前記差分が前記所定の閾値より小さくなるように、前記復調要素のうちの１つに関する時間遅延値を調節することを含む、請求項４３の機械読み取り可能媒体。
【発明の詳細な説明】
【技術分野】
【０００１】
本発明は、一般に無線通信に係り、特に、受信ダイバーシティ使用可能レイク受信機内の復調要素の時間トラッキング管理に関する。
【背景技術】
【０００２】
送信機及び受信機間の同期は、データを素早くかつ首尾よく送信するために重要である。通信システムにおいて同期を達成する１つの方法は、パイロットチャネルの使用であり、即ち、送信機及び受信機の両方が予め知っている信号の使用である。符号分割多元接続（ＣＤＭＡ）システムでは、例えば、このパイロットは、疑似ランダム雑音（ＰＮ）系列である。
【発明の概要】
【０００３】
本主題技術の一態様によれば、レイク受信機は、複数の受信アンテナ及び処理システムを含む。各受信アンテナは、「指（finger）」と称されることもある複数の復調要素を有する。処理システムは、複数の受信アンテナから複数の復調要素を、マルチパスグループに割り当て、マルチパスグループをマルチパス信号に割り当て、対応する受信アンテナにおけるマルチパス信号のローカル時間遅延に対応するように、マルチパスグループ内の各復調要素の時間遅延値を独立に調節するように構成される。
【０００４】
本主題技術の他の態様によれば、レイク受信機は、複数の受信アンテナ及び処理システムを含む。各受信アンテナは、複数の復調要素を有する。処理システムは、各受信アンテナから１つの復調要素を、マルチパスグループに割り当て、マルチパスグループをマルチパス信号に割り当て、対応する受信アンテナにおけるマルチパス信号のローカル時間遅延に対応するように、マルチパスグループ内の各復調要素の時間遅延値を独立に調節するように構成される。
【０００５】
本主題技術のさらなる態様によれば、レイク受信機に関して時間トラッキングを管理する方法は提供される。レイク受信機は、複数の受信アンテナを有する。各受信アンテナは、複数の復調要素を有する。方法は、複数の受信アンテナから複数の復調要素を、マルチパスグループに割り当て、マルチパスグループをマルチパス信号に割り当て、対応する受信アンテナにおけるマルチパス信号のローカル時間遅延に対応するように、マルチパスグループ内の各復調要素の時間遅延値を独立に調節するステップを含む。
【０００６】
本主題技術のまた他の態様によれば、受信機システムは、複数の受信アンテナを含む。各受信アンテナは、複数の復調要素を有する。受信機システムは、複数の受信アンテナから複数の復調要素を、マルチパスグループに割り当てる手段、マルチパスグループをマルチパス信号に割り当てる手段、並びに、対応する受信アンテナにおけるマルチパス信号のローカル時間遅延に対応するように、マルチパスグループ内の各復調要素の時間遅延値を独立に調節する手段をさらに含む。
【０００７】
本主題技術のまた他の態様によれば、機械可読媒体は、複数の受信アンテナを有するレイク受信機に関して時間トラッキングを管理する方法を具現化する。各受信アンテナは、複数の復調要素を有する。方法は、複数の受信アンテナから複数の復調要素を、マルチパスグループに割り当て、マルチパスグループをマルチパス信号に割り当て、対応する受信アンテナにおけるマルチパス信号のローカル時間遅延に対応するように、マルチパスグループ内の各復調要素の時間遅延値を独立に調節するステップを含む。
【０００８】
他の構成が、例として種々の構成だけを示して説明されている以下の詳細な説明から当業者にとって容易に明らかになることは、理解される。実現されるように、ここの教示は、他のものに拡張されることができ、異なる構成及び各々の詳細は、本開示の範囲を逸脱することなしに、種々の他の態様において変更可能である。従って、図面及び詳細な説明は、事実上、実例であって、限定的ではないと見なされるべきである。
【図面の簡単な説明】
【０００９】
【図１】図１は、本主題技術の一態様に従って、１つのアンテナを備えたレイク受信機の一例を示すブロック図である。
【図２】図２は、本主題技術の一態様に従って、２つのアンテナを備えたレイク受信機の一例を示すブロック図である。
【図３】図３は、本主題技術の一態様に従って、３つのアンテナを備えたレイク受信機の一例を示すブロック図である。
【図４】図４は、本主題技術の一態様に従って、レイク受信機に関して時間トラッキングの管理の方法を示すフローチャートである。
【詳細な説明】
【００１０】
添付の図面に関連して以下に記載されている詳細な説明は、種々の形態についての説明として意図され、ここに説明される概念が実行されうる形態だけを提示するように意図されるものではない。詳細な説明は、本主題技術の充分な理解を提供するために、特定の詳細を含む。しかしながら、本主題技術がこれらの特定の詳細なしに実行されてもよいことは、当業者にとって明らかであろう。いくつかの例では、周知の構造及び構成要素は、本主題技術の概念を不明瞭にすることがないように、ブロック図の形態で示される。
【００１１】
図１は、本主題技術の一態様に従って、マルチパス（multipath）環境中で動作するレイク受信機１１０の一例を示す。信号の複数のコピー（copy）が、わずかに異なる時間に、ある位置に到着する場合に、マルチパス環境が生じる。例えば、図１では、送信アンテナ１２０は、ＣＤＭＡ信号を全方向に（omnidirectionally）伝送する。このＣＤＭＡ信号は、送信アンテナ１２０及びレイク受信機１１０の両方に予め知られているパイロットチャネルを含む。このパイロットは、疑似ランダム雑音（ＰＮ）系列である。この信号の１つのコピー、即ち、マルチパス１２３は、送信アンテナ１２０からレイク受信機１１０へ直接に進む。信号の他のコピー１２１は、例えば山１３０等の物体によって、レイク受信機１１０に向けて（即ち、マルチパス１２２のように）方向を変えられる。同じ系列の時間シフトバージョンが互いに非常に小さい相関を有し、かつ、相異なるＰＮ系列が互いに非常に小さい相関を有しているので、ＰＮ系列は、好ましい自己相関特性及び相互相関特性を有している。マルチパス環境をうまく利用するために、レイク受信機１１０は、２つの復調要素１１２、１１３を備えたアンテナ１１１を含む。各復調要素は、異なるマルチパスをトラッキングして（track）受信する（例えば、復調要素１１２がマルチパス１２２をトラッキングし、復調要素１１３がマルチパス１２３をトラッキングする）ように、割り当てられる。
【００１２】
別個のパスが復調される前に、受信信号中のパスの相対的な到着時間（即ち、オフセット）が最初に決定される。復調要素をマルチパスに割り当てるために、レイク受信機１１０は、サーチャ受信機１１５を含むことができる。サーチャ受信機１１５は、マルチパス（multiple path）環境中において、存在、時間領域での位置、及び信号の相対的な信号強度を決定するために、チャネルの時間領域をスキャンする（scan）。サーチャ受信機１１５は、各マルチパスで受信されたエネルギーを測定するために、一連のマルチパスを評価する。この測定に基づいて、サーチャ受信機１１５は、復調要素１１２及び１１３を種々のマルチパスに割り当てることができる。例えば、本主題技術の一態様に従って、マルチパスが割り当てに関する複数の所定の基準を満たす場合（例えば、マルチパスに関連するエネルギーが特定の閾値を超える場合、時間領域でのマルチパスの位置が時間領域で他のマルチパスに充分に近いか、或いは、離れている場合等）、復調要素１１２、１１３のうちの１つは、そのマルチパスに対応する時間遅延値を割り当てられることができる。他の基準は、必ずしもマルチパスに関連している必要はないが、復調要素をマルチパスに割り当てるためにさらに使用されてもよい。
【００１３】
本主題技術の一態様に従って、サーチャ受信機１１５は、異なるパスに関して利用可能な最良のマルチパス信号を復調要素がトラッキングすることを可能にする情報を提供する。例えば、３つの異なるマルチパスが、２つだけの復調要素を備えたレイク受信機に利用可能である場合、サーチャ受信機１１５は、２つの復調要素に割り当てるために２つの最も強いマルチパスを選定することができる。代わりに、サーチャ受信機１１５は、どのマルチパスが割り当てに使用されるべきか（３つの利用可能なマルチパスのうちのどの２つを割り当てるか）、並びに、どの特定のマルチパスをどの特定の復調要素に割り当てるかを決定するために、割り当てに関する代わりの基準を使用してもよい。
【００１４】
各復調要素は、一旦マルチパスに割り当てられると、それが時間とともに（in time）動く（例えば、そのマルチパスに対応する時間遅延値が変化する）ので、そのマルチパスをトラッキングする。時間遅延値は、ＰＮオフセットのユニット（unit）を有していると想定されることができる。常に、レイク受信機１１０は、送信アンテナ１２０から種々の信号を受信し、各信号は、異なるパスを進み、他のものとは異なる遅延を有することができる。送信アンテナ１２０の信号は、ＰＮ系列によって変調され、ＰＮ系列のコピーは、レイク受信機１１０においてローカルに生成されるか、或いは、レイク受信機１１０にローカルに格納されている。レイク受信機１１０は、各マルチパス信号を個別に復調するために、ＰＮ系列のローカルコピーを利用し、ここで、ＰＮ系列は、マルチパスの時間遅延値に対応する量だけオフセットされる。その後、各復調要素によって受信されたマルチパス信号は、プロセッサシステム１１４によって復調されて合計される。プロセッサシステム１１４は、パイロットチャネルを使用して各マルチパスの時間遅延を決定し、続いて、それらを調整して結合する。
【００１５】
本主題技術の一態様に従って、プロセッサシステム１１４は、１以上のプロセッサを含むことができる。プロセッサは、汎用プロセッサ、並びに、ソフトウェアプログラムに関する命令及びデータを格納するための揮発性又は不揮発性メモリによって実現されることができる。メモリに格納されることができるソフトウェアプログラムは、他の通信及び処理機能を提供するとともに、レイク受信機に関して時間トラッキングを管理するために、汎用プロセッサによって使用されることができる。ソフトウェアプログラムは、ディスプレイ及びキーパッドのような種々のユーザインタフェース装置に、汎用プロセッサへのインタフェースをさらに提供することができる。復調及びスペクトル拡散処理のような種々の信号処理機能をオフロードする（offload）ために、プロセッサは、さらに埋め込みソフトウェア層（embedded software layer）を備えたデジタル信号プロセッサ（ＤＳＰ）を含むことができる。代わりに、プロセッサは、１以上の特定用途プロセッサで実現されてもよい。プロセッサが実現される方法は、全体のシステムに課される設計制約及び特定用途に依存する。当業者は、これらの状況のもとで、ハードウェア、ファームウェア及びソフトウェア構成の互換性、並びに、特定用途毎に説明された機能性を実現するのに最適な方法を認識する。
【００１６】
時間の経過とともに、レイク受信機１１０の移動、或いは、レイク受信機１１０が動作している環境の変化（例えば、反射障害物の移動）によって、各マルチパスが進むパス距離が変更されるので、マルチパスは、以前又は以後のオフセットに対して、時間とともに変化する場合がある。各復調要素は、割り当てられたマルチパス信号のこれらの変化をトラッキングするように構成される。例えば、復調要素１１２は、その最新の時間遅延値において、並びに、隣接する時間遅延値において受信された信号強度を継続的に評価し、最も強い信号を維持するために必要であるとして、その時間遅延値を調節する。
【００１７】
受信ダイバーシティを提供するために、多くのレイク受信機は、複数のアンテナを備えている。このようなレイク受信機のうちの１つが、本主題技術の一態様に従って図２に示されている。レイク受信機２１０は、２つの受信アンテナ２１１、２１６を含む。各受信アンテナは、２つの復調要素を含む。即ち、アンテナ２１１は、復調要素２１２、２１３を含み、アンテナ２１６は、復調要素２１７、２１８を含む。レイク受信機２１０は、プロセッサシステム２１４及びサーチャ受信機２１５をさらに含む。
【００１８】
本主題技術の一態様に従って、マルチアンテナレイク受信機２１０の復調要素は、各アンテナから１つの復調要素をマルチパスグループに割り当てることにより、マルチパスグループに組織化される。例えば、復調要素２１３、２１８は、マルチパスグループ２４１に割り当てられ、復調要素２１２、２１７は、マルチパスグループ２４２に割り当てられる。その後、各マルチパスグループは、図１を参照して上述したものと同様の方法で、サーチャ受信機２１５によって、異なるマルチパスに割り当てられる。例えば、マルチパス２５２として表示されている、送信アンテナ２２０からレイク受信機２１０へ直接に進む信号パスは、マルチパスグループ２４２に割り当てられ、マルチパス２５１として表示されている、障害物２３０から反射された信号パスは、マルチパスグループ２４１に割り当てられる。マルチパスグループの復調要素は、各々、割り当てられたマルチパスの時間遅延に対応する時間遅延値をサーチャ受信機２１５によって割り当てられる。例えば、サーチャ受信機２１５は、２０００ナノ秒の時間遅延値をマルチパスグループ２４２の復調要素に割り当て、１０００ナノ秒の時間遅延値をマルチパスグループ２４１の復調要素に割り当てることができる。
【００１９】
本主題技術の他の態様に従って、レイク受信機の復調要素は、種々の方法で、マルチパスグループに組織化されることができる。例えば、マルチパスグループは、各アンテナからの１つだけの復調要素を含む。他の例では、マルチパスグループは、アンテナのうちのいずれか１つからの複数の復調要素を含むことができる。また他の例では、マルチパスグループは、いくつかの異なるアンテナからの複数の復調要素（例えば、あるアンテナからの３つの復調要素、及び他のアンテナからの３つの復調要素）を含むことができる。また他の例では、マルチパスグループは、異なるアンテナからの異なる数の復調要素（例えば、第１のアンテナからの２つの復調要素、第２のアンテナからの２つの復調要素、及び第３のアンテナからの１つの復調要素、或いは、第１のアンテナからの４つの復調要素、第２のアンテナからの３つの復調要素、及び第３のアンテナからの３つの復調要素）を含むことができ、或いは、各アンテナからの異なる数の復調要素（例えば、第１のアンテナからの３つの復調要素、第２のアンテナからの２つの復調要素、及び第３のアンテナからの１つの復調要素、或いは、第１のアンテナからの５つの復調要素、第２のアンテナからの２つの復調要素、及び第３のアンテナからの３つの復調要素）を含むことができる。当業者によって理解されるように、複数のアンテナからの復調要素は、任意の構成でマルチパスグループに割り当てられてもよい。
【００２０】
１つの復調要素によって受信されたマルチパス信号は、同じマルチパスグループ内の他の復調要素によって受信されたマルチパス信号から非常にわずかにオフセットされる（offset）場合がある。従って、本主題技術の一態様に従って、各復調要素は、マルチパスグループに割り当てられたマルチパス信号を独立にトラッキングするように構成される。これに関して、サーチャ受信機２１５がマルチパスグループ２４１の復調要素２１８、２１３の両方に同じ初期時刻遅延値を割り当てた後、各復調要素は、その最新の時間遅延値において、並びに、隣接する時間遅延値においてローカル信号強度（即ち、対応するアンテナで受信された信号強度）を継続的に評価し、最も強い信号を維持するのに必要であるとして、ローカル時間遅延に対してその時間遅延値を調節する。ローカル時間遅延は、対応するアンテナの復調要素によってトラッキングされたマルチパス信号の時間遅延に対応することができる。各復調要素においてローカル時間遅延を独立にトラッキングすることを可能にするようにマルチパスグループを構成することによって、非常に強い復調結合信号（demodulated and combined signal）は、多くの複雑なマルチパス環境中において維持されることができる。
【００２１】
マルチパス信号は、信号強度に関して増大したり、低下したりする場合があり、特に受信機がマルチパス環境の至る所を移動する場合には、マルチパスは、変化する時間遅延をさらに有する場合がある。従って、いくつかの環境では、２つの異なるマルチパスは、異なる時間遅延を含んで開始する（start out）が、互いに交差する（cross）時間遅延を時間の経過とともに有することができる。例えば、マルチパス２５１は、２０００ナノ秒の時間遅延を含んで開始することができ、マルチパス２５２は、１０００ナノ秒の時間遅延を含んで開始することができるが、時間の経過とともに、マルチパス２５１の時間遅延が減少し、マルチパス２５２の時間遅延が増大することができる。このプロセス中のある時点では、マルチパス２５１、２５２の時間遅延は、１５００ナノ秒の略同じ遅延に（即ち、それらが交差するように）なることができる。従って、２つのマルチパスが交差した後、１つのマルチパスに割り当てられた復調要素は、そのマルチパスを追跡するためにその時間遅延値を継続的に調節しているが、他のマルチパスを偶然に追跡する（follow）場合がある。従って、マルチパスグループ内の復調要素がマルチパスを独立にトラッキングすることを可能にすることは、同じマルチパスグループ内の復調要素が異なるマルチパス信号に迷い込む（wander）ことに結果としてなる場合がある。信号を復調して結合することがますます困難になることから、このような発生は、レイク受信機２１０の性能を著しく低下する可能性がある。
【００２２】
従って、本主題技術の一態様では、単一のマルチパスグループ内の異なる復調要素が異なるマルチパス信号を偶然にトラッキングしないことを保証するために、プロセッサシステム２１４は、マルチパスグループ内の復調要素に関する時間遅延値を周期的に比較して、時間遅延値間の差分が所定の閾値を超えたか否かを判断する。差分が閾値を超える場合、プロセッサシステムは、復調要素のうちの１つを選択し、他の復調要素の時間遅延値に近づくように、その時間遅延値を調節する。
【００２３】
例えば、目下の典型的な態様では、マルチパスグループ２４１の復調要素２１３、２１８の両方は、マルチパス２５１に割り当てられる。最初は、サーチャ受信機２１５は、復調要素２１３及び復調要素２１８に２０００ナノ秒の時間遅延値を割り当てる。マルチパス２５１の時間遅延が時間の経過とともに１５００ナノ秒に変わり、マルチパス２５２についても同様であるので、復調要素２１８がマルチパス２５１のトラッキングを継続するのに対して、復調要素２１３は、マルチパス２５２のトラッキングを開始する場合がある。マルチパス２５１、２５２が再び離れていく（即ち、これらの時間遅延が分岐する（diverge））と、復調要素２１３、２１８の時間遅延値の差分は、増大することになる。プロセッサシステム２１５は、２つの復調要素の時間遅延値間の差分を継続的に評価することができ、例えば２００ナノ秒のような、ある所定の閾値を超える場合、プロセッサシステム２１４は、他の復調要素の時間遅延値に近づくように復調要素のうちの１つの時間遅延値を調節するように、構成される。
【００２４】
本主題技術の一態様に従って、調節するためにプロセッサシステム２１４が選択する復調要素は、復調要素２１３、２１８によってトラッキングされたマルチパス信号に関する相対的な信号強度に基づいて、決定される。そのマルチパスがより弱い信号を有する復調要素の時間遅延値は、そのマルチパスがより強い信号を有する復調要素の時間遅延値に近づくように調節される。
【００２５】
本主題技術の一態様に従って、選択された復調要素の時間遅延値の調節は、所定量だけ他の復調要素の値に向けて時間遅延値を「バンプする（bumping）」ことにより達成されることができる。このバンピング（bumping）は、復調要素が再初期化されることを要求することなしに、復調要素が適切なマルチパスに「戻る（walk back）」ことを可能にする。
【００２６】
例えば、復調要素２１８が１７００ナノ秒の時間遅延値を有し、復調要素２１８が１４００ナノ秒の時間遅延値を有している場合、プロセッサシステム２１４は、それらの時間遅延値間の３００ナノ秒の差分を分析し、それが２００ナノ秒という所定の閾値を超えることを判断することができる。従って、プロセッサシステム２１４は、どの復調要素がより高い信号強度を現在持っているかを判断することができ、例えば、復調要素２１８を決定することができ、復調要素２１３の時間遅延値を調節し続けることができる。そうするために、プロセッサシステム２１４は、１５０ナノ秒のような所定値だけ復調要素２１８の時間遅延値に向けて復調要素２１３に関して時間遅延値をインクリメントする（increment）ことができる。このように、復調要素２１３は、１５５０ナノ秒の時間遅延値を含んだままにされることができる。この方法で調節された後に、復調要素２１３は、上で概要を説明したように動作し続けることができ、即ち、その最新の時間遅延値において、並びに、隣接する時間遅延値において受信された信号強度を評価し、最も強い信号を維持するために必要であるとして、その時間遅延値を調節することにより、それが割り当てられているマルチパスをトラッキングする。従って、１５５０ナノ秒の時間遅延値にバンプされた後に、復調要素２１３は、復調要素２１８によってトラッキングされているマルチパスに向けて「歩き（walk）」続けることができる。
【００２７】
本主題技術の一態様に従って、選択された復調要素の時間遅延値の調節は、１つの復調要素の時間遅延値を、同じマルチパスグループ内の他の復調要素と同じ時間遅延値に「スラムする（slamming）」ことにより達成されることができる。これは、復調要素を再初期化することによって、或いは、２つの復調要素間で測定された差分の正確な量だけ復調要素の時間遅延値をインクリメントすることによって行われることができる。
【００２８】
本主題技術の一態様に従って、２つの復調要素間の時間遅延値の許容される差分に関する所定の閾値は、いかなる値であってもよく、上述された典型的な態様での特定の値に限定されるものではない。さらに、復調要素の時間遅延値がバンプされる所定量は、いかなる値であってもよく、２つの復調要素間で測定された差分と同じ値、その差分のある割合（例えば、１／２、２／３、３／４等）、或いは他の適切な量を含む。
【００２９】
本主題技術の一態様に従って、同じマルチパスグループ内の復調要素を使用して時間遅延値を独立にトラッキングする方法は、２つだけのアンテナを備えたレイク受信機に限定されることはない。より正確に言えば、この方法は、当業者によって直ちに理解されるように、任意の数のアンテナを備えたレイク受信機に適用されてもよい。例えば、図３は、３つの受信モジュールを備えたレイク受信機３１０を示す。各受信モジュールは、２つの復調モジュールを含む。即ち、受信モジュール３１１は、復調モジュール３１２、３１３を含み、受信モジュール３１６は、復調モジュール３１７、３１８を含み、受信モジュール３１９は、復調モジュール３２１、３２２を含む。レイク受信機３１０は、処理モジュール３１４をさらに含み、サーチャ受信機モジュール３１５を含むことができる。
【００３０】
本主題技術の一態様に従って、マルチアンテナレイク受信機３１０の復調モジュールは、各受信モジュールから１つの復調モジュールを、マルチパスグループに割り当てることによって、マルチパスグループに組織化される。例えば、復調モジュール３１３、３１８、３２２は、マルチパスグループ３４１に割り当てられ、復調モジュール３１２、３１７、３２１は、マルチパスグループ３４２に割り当てられる。そして、各マルチパスグループは、図１及び図２を参照して上述されたものと同様の方法で、サーチャ受信機モジュール３１５によって、異なるマルチパスに割り当てられる。例えば、マルチパス３５２として表示されている、送信アンテナ３２０からレイク受信機３１０へ直接に進む信号パスは、マルチパスグループ３４２に割り当てられ、マルチパス３５１として表示されている、障害物３３０から反射された信号パスは、マルチパスグループ３４１に割り当てられる。
【００３１】
本主題技術の一態様に従って、図３のように、レイク受信機が３つのアンテナを含む場合、マルチパスグループ内の復調モジュールで時間遅延値間の差分を比較するステップは、マルチパスグループ内の全ての復調モジュールの時間遅延値を比較し、最も強い信号を有する復調モジュールを選択し、選択された復調モジュールとの差分が所定の閾値量を超えるマルチパスグループ内のいずれの復調モジュールを（バンピング及びスラミング（slamming）のいずれかによって）調節することによって、行われることができる。代わりに、処理モジュール３１４は、単一のマルチパスグループ内の３つの復調モジュールのうちの任意の２つを比較し、より強い方に向けてより弱い方をバンプ又はスラムすることができる。
【００３２】
前述の典型的な態様は、各々２つだけの復調要素を有するアンテナを備えたレイク受信機に関連して説明されているが、本主題技術の構成は、そのような配置に限定されるものではない。より正確に言えば、当業者によって理解されるように、本主題技術は、任意の数の復調要素を有する各アンテナを備えた（例えば、第１のアンテナが２つの復調要素を有し、第２のアンテナが３つの復調要素を有し、第３のアンテナが５つの復調要素を有する）レイク受信機への応用を有している。さらに、本主題技術は、レイク受信機内の各アンテナが同数の復調要素を有することを要求しない。より正確に言えば、種々の数の復調要素を有するアンテナを備えたレイク受信機は、当業者にとって容易に明らかであるように、復調要素を、異なるサイズ及び構成のマルチパスグループに組織化するように同様に構成されることができる。
【００３３】
図４は、本主題技術の一態様に従って、レイク受信機に関して時間トラッキングを管理する方法を示すフローチャートである。この方法は、ステップ４０１から始まり、ステップ４０１では、レイク受信機内の各受信アンテナからの１つの復調要素は、マルチパスグループに割り当てられる。ステップ４０２では、マルチパスグループは、レイク受信機のサーチャ受信機によって、マルチパス信号に（例えば、マルチパスグループ内の復調要素毎に対応する時間遅延値を設定することによって）割り当てられる。ステップ４０３では、マルチパスグループ内の各復調要素の時間遅延値は、対応する受信アンテナにおけるマルチパス信号のローカル時間遅延に対応するように独立に調節される。ステップ４０４では、レイク受信機の処理システムは、それらの間の差分が所定の閾値を超えるか否かを判断するために、マルチパスグループ内の復調要素のうちの少なくとも２つの時間遅延値を比較する。ステップ４０５では、差分が所定の閾値を超える場合、少なくとも２つの復調要素のうちの１つに関する時間遅延値は、差分が所定の閾値より小さくなるように（例えば、バンピング又はスラミングによって）調節される。
【００３４】
開示されたプロセス中のステップの特定の順序又は階層が典型的なアプローチの実例であることは、理解される。設計選択（design preference）に基づいて、プロセス中のステップの特定の順序又は階層が再配置されてもよいことは、理解される。添付の方法クレームは、実例の順序で種々のステップの要素を示し、示された特定の順序又は階層に限定されるように意図するものではない。
【００３５】
ここに開示された構成に関連して説明される方法又はアルゴリズムは、ハードウェアで直接に、プロセッサによって実行されるソフトウェアモジュールで、或いはこれら２つの組み合わせで具現化されてもよい。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、或いは、技術的に知られているいかなる他の形態の機械読み取り可能媒体に備わっていてもよい。機械読み取り可能媒体は、プロセッサがこの記憶媒体から情報を読み出し、かつ、この記憶媒体に情報を書き込むことができるように、プロセッサに結合されることができる。代わりに、機械読み取り可能媒体は、プロセッサに組み込まれていてもよい。プロセッサ及び機械読み取り可能媒体は、ＡＳＩＣに備わっていることができる。ＡＳＩＣは、レイク受信機に備わっていることができる。代わりに、プロセッサ及び機械読み取り可能媒体は、レイク受信機に個別部品として備わっていてもよい。機械読み取り可能媒体は、コンピュータプログラムでエンコードされたコンピュータ読み取り可能媒体でありうる。
【００３６】
当業者は、ここに説明された種々の実例となる論理ブロック、モジュール、回路、要素、コンポーネント、方法、及びアルゴリズムが電子ハードウェア、コンピュータソフトウェア、又はこれら両方の組み合わせとして実現されてもよいことをさらに認識するだろう。ハードウェア及びソフトウェアのこの互換性を示すために、種々の実例となる論理ブロック、モジュール、回路、エレメント、コンポーネント、方法及びアルゴリズムは、それらの機能性に関して一般的に上述されている。そのような機能性がハードウェアとして実現されるか、或いは、ソフトウェアとして実現されるかは、全てのシステムに課された設計制約及び特定用途に依存する。さらに、１以上のブロックの機能性は、１つのブロックによって、若しくは、分散配置された複数のブロックによって実行されてもよく、或いは、他のブロックによって実行されてもよい。当業者は、特定用途毎に異なる方法で、説明された機能性を実現することができる。
【００３７】
レイク受信機は、携帯電話機、無線電話機、ワイヤード電話機（wired phone）、ラップトップ型コンピュータ、デスクトップ型コンピュータ、パーソナルデジタルアシスタント（ＰＤＡ）、データトランシーバ、モデム、ページャ、カメラ、ゲーム機、ＭＰＥＧオーディオレイヤー３（ＭＰ３）プレーヤー、メディアゲートウェイシステム、オーディオ通信装置、ビデオ通信装置、マルチメディア通信装置、前述の装置のいずれかの構成要素（例えば、プリント回路基板、集積回路又は回路部品）、或いは、他の好適なオーディオ、ビデオ又はマルチメディア装置等のいかなる好適な通信装置、若しくはこれらの組み合わせでありうる。
【００３８】
以上の記述は、いかなる当業者もここに説明された種々の態様を実行することを可能にするために提供される。これらの態様に対する種々の変更は、当業者にとって容易に明らかであり、ここに定義された包括的な原理は、他の態様に適用されることができる。従って、クレームは、ここに示された態様に限定するようには意図されないが、言語クレームと一致する最大限の範囲を許容されるべきであり、単数形での要素の参照は、明確に「１つ及び１つだけ（one and only one）」と記載されない限り、「１つ及び１つだけ（one and only one）」であることを意味するように意図されず、むしろ「１以上（one or more）」であることを意味するように意図される。明確に別記しない限り、用語「いくつか（some）」は、１以上を指す。
【００３９】
当業者に知られているか、或いは、当業者に後に知られるようになる本開示を通して説明される種々の態様の要素に対する全ての構造的及び機能的等価物は、参照によってここに明示的に組み込まれ、クレームによって含まれるように意図される。さらに、ここに開示されたいずれも、そのような開示がクレームに明示的に列挙されるかどうかにかかわらず、公衆にささげられるように意図さるものではない。方法クレームにおいて句「手段（means for）」を使用して、或いは、句「ステップ（step for）」を使用して要素が明示的に列挙されなければ、クレームの要素は、３５Ｕ．Ｓ．Ｃ．§１１２の第６パラグラフの規定のもとで解釈されるべきでない。さらに、用語「含む（include）」又は「有する（have）」が説明又はクレームに使用される範囲では、このような用語は、「具備する（comprising）」がクレームにおいてトランジショナルワード（transitional term）として使用されるときに解釈されるように、用語「具備する（comprising）」と同様に包括的であるように意図される。
【図１】
2010536265.tif 000003
【図２】
2010536265.tif 000004
【図３】
2010536265.tif 000005
【図４】
2010536265.tif 000006
【国際調査報告】
2010536265.tif 000007
2010536265.tif 000008